(57)【特許請求の範囲】
【請求項１】
長手方向に対し所定角度で傾斜した多数の刃折り溝が形成された折刃式カッターブレードを備えるカッターナイフの使用済み刃先を折って除去するためのカッターナイフの刃先折り装置であって、
該刃先折り装置は、長手方向両側面が開口した偏平長方形外箱体と、ガイド板と、刃折り本体部と、操作押しボタンを備えて構成され、
前記ガイド板は、前記外箱体の開口端部の下面板内表面に取り付けられて開口に挿入される前記カッターブレードの高さを規制しており、
前記刃折り本体部は、短手方向両側面が開口した偏平な略長方形箱体に形成され、前記ガイド板の後方位置にて該箱体の上下面板の中央部に突出して設けた旋回軸を前記外箱体の上下面板に設けた孔に挿通して水平旋回し、常時は一方の開口を前記外箱体の一方の開口に向けた状態で旋回停止するよう付勢されており、該旋回中心と外箱体開口部内側面との間隔は挿入されるカッターブレードの幅より狭くしてあり、箱体の前記一方の開口部の上下面板内表面には挿入されたカッターブレードの上面、下面の高さを規制する上側ブロックと下側ブロックがカッターブレードの厚みより僅かに広い間隙をあけて取り付けてあり、該下側ブロックの後方には上面高さを前記下側ブロックより高くした直方体形状の刃先受けブロックが下側ブロックに平行に下面板に取り付けてあり、下側ブロックと該刃先受けブロックの間には前記下側ブロックの両側方位置を中心に揺動旋回する直方体形状の刃先折り曲げブロックが前記箱体底面側に旋回するよう付勢して取り付けてあり、刃先折り曲げブロックの底面が箱体下面板に当接した状態ではその上面が前記下側ブロックの上面より僅かに低くなるようにしてあり、刃先折り曲げブロックの長手方向の一側面には刃先折り曲げブロックを揺動旋回させる揺動レバーがレバー先端を後方に向けて取り付けてあり、前記刃先受けブロックの後方には箱体両側面間に掛け渡した旋回軸周りに揺動旋回するシーソー式レバーがレバー後端側を箱体の開口から突出させて取り付けてあり、その後端側を前記外箱体下面板側に押し下げると先端側が持ち上がって前記揺動レバーを持ち上げて前記刃先折り曲げブロックが持ち上がるように構成してあり、
前記操作押しボタンは、前記シーソー式レバーの後端側上方の外箱体上面板に取り付けられ、ボタンを押したときに外箱体内に突出している端部が前記シーソー式レバーの後端側を押し下げるように構成されていることを特徴とするカッターナイフの刃先折り装置。
【請求項２】
請求項１に記載のカッターナイフの刃先折り装置において、前記外箱体の内側高さを前記刃折り本体部の全体の厚み寸法にカッターブレードの出没を案内するカッターナイフの案内枠の厚み寸法を加えた寸法とし、前記刃折り本体部の底面が外箱体下面板に接触した状態では刃折り本体部の下側ブロックの上面は外箱体の開口部下面板に固定された前記ガイド板の上面より低く、前記上側ブロックの下面はガイド板の上面よりカッターブレードの厚みの１／２乃至２／３だけ高くなるように刃折り本体部の下面板厚みを調整し、刃折り本体部を水平旋回させるための前記旋回軸の突出長さを長くして旋回軸を外箱体の外表面から突出させ、外箱体の上面板外表面には該突出した旋回軸の先端を下方に向けて付勢する板バネが取り付けてあることを特徴とするカッターナイフの刃先折り装置。
【発明の詳細な説明】
【技術分野】
【０００１】
本発明は、長手方向に対して所定角度で傾斜した多数の刃折り溝が形成された折刃式カッターブレードを備えるカッターナイフの使用済み刃先を折って除去するためのカッターナイフの刃先折り装置に関する。
【背景技術】
【０００２】
紙や合成樹脂薄板等の切断にカッターナイフが多用されている。図１５は典型的なカッターナイフ５０の外観である。折刃式カッターブレード５１は、スライダ５２に一端が固定されており、把持部５３に固定された案内枠５４内をスライダ５２と共に摺動する。案内枠５４の先端部は把持部５３の前端から突出している。ナイフとして使用時には、カッターブレード５１の先端刃先部が案内枠５４の先端部より僅かに突出した状態となるよう、ロック可能なスライダ５２で位置調整される。カッターブレード５１は、平行四辺形状の多数の刃体５５が、長手方向に対して傾斜して設けられた刃折り溝５６を挟んで連なった形状をなしている。鋭利な刃５７は、その幅方向一側縁に形成されている。使用により最先端の刃体５５の切れ味が悪くなった場合は、刃折り溝５６にて最先端の刃体５５を折って除去し、除去後の最先端の刃体５５を新たな刃先として使用する。
【０００３】
切れ味が悪くなった最先端の刃体５５の刃折り除去はペンチで行なうことも可能であるが、刃折り溝５６で正確に刃折りできなかったり、切断片が飛散したりして危険を伴う。こうしたことから刃折りを安全、確実に行えるようにする部品や道具が各種提案されている。例えば、特許文献１には、刃体を挿入し得る刃体挿入間隙を両挟持部の相対向する挟持面間で形成し、この刃体挿入間隙に挿入した刃体を挟持面の切断端縁にて折るようにしたカッターナイフ用刃体折り具が開示されている。しかし、この刃体折り具の場合、刃体の刃折り溝を挟持面の切断端縁に正確に位置決めする必要があり面倒である。
【０００４】
また、特許文献２には、刃板の先端が当接する位置決めストッパー部を設け、刃先が位置決めストッパー部に当接した状態では、刃折対象の折線溝縁部が刃折支持部の境界に位置するようにした刃折式カッターの刃折装置が開示されている。しかし、刃体の長手方向に対する折線溝の角度はカッターナイフにより異なるため、この提案方式では特定のカッターナイフにしか適用できない。
【先行技術文献】
【特許文献】
【０００５】
【特許文献１】特開２００１−３１４６６７号公報
【特許文献２】特開２０００−１４０４６０号公報
【発明の概要】
【発明が解決しようとする課題】
【０００６】
本発明は、従来技術のこうした問題点を解決するためになされたもので、その課題は、カッターナイフに取り付けられた折刃式カッターブレードの最先端刃体が使用により切れ味が悪くなった場合に、その刃体を安全、確実に折って除去できるカッターナイフの刃先折り装置を提供することにある。
【課題を解決するための手段】
【０００７】
前記課題を解決するための請求項１に記載の発明は、長手方向に対し所定角度で傾斜した多数の刃折り溝が形成された折刃式カッターブレードを備えるカッターナイフの使用済み刃先を折って除去するためのカッターナイフの刃先折り装置であって、該刃先折り装置は、長手方向両側面が開口した偏平長方形外箱体と、ガイド板と、刃折り本体部と、操作押しボタンを備えて構成され、ガイド板は外箱体の開口端部の下面板内表面に取り付けられて開口に挿入されるカッターブレードの高さを規制しており、刃折り本体部は短手方向両側面が開口した偏平な略長方形箱体に形成され、ガイド板の後方位置にて該箱体の上下面板の中央部に突出して設けた旋回軸を外箱体の上下面板に設けた孔に挿通して水平旋回し、常時は一方の開口を外箱体の一方の開口に向けた状態で旋回停止するよう付勢されており、該旋回中心と外箱体開口部内側面との間隔は挿入されるカッターブレードの幅より狭くしてあり、箱体の一方の開口部の上下面板内表面には挿入されたカッターブレードの上面、下面の高さを規制する上側ブロックと下側ブロックがカッターブレードの厚みより僅かに広い間隙をあけて取り付けてあり、該下側ブロックの後方には上面高さを下側ブロックより高くした直方体形状の刃先受けブロックが下側ブロックに平行に下面板に取り付けてあり、下側ブロックと該刃先受けブロックの間には下側ブロックの両側方位置を中心に揺動旋回する直方体形状の刃先折り曲げブロックが前記箱体底面側に旋回するよう付勢して取り付けてあり、刃先折り曲げブロックの底面が箱体下面板に当接した状態ではその上面が前記下側ブロックの上面より僅かに低くなるようにしてあり、刃先折り曲げブロックの長手方向の一側面には刃先折り曲げブロックを揺動旋回させる揺動レバーがレバー先端を後方に向けて取り付けてあり、前記刃先受けブロックの後方には箱体両側面間に掛け渡した旋回軸周りに揺動旋回するシーソー式レバーがレバー後端側を箱体の開口から突出させて取り付けてあり、その後端側を前記外箱体下面板側に押し下げると先端側が持ち上がって揺動レバーを持ち上げて刃先折り曲げブロックが持ち上がるように構成してあり、操作押しボタンはシーソー式レバーの後方端上方の外箱体上面板に取り付けられ、ボタンを押したときに外箱体内に突出している端部がシーソー式レバーの後方端を押し下げるように構成されていることを特徴とするカッターナイフの刃先折り装置である。
【０００８】
このような構成の刃先折り装置によれば、カッターブレードの先端部を刃先折り装置内に挿入して操作押しボタンを押し下げると、ボタンの下端がシーソー式レバーの後端端を押し下げる。すると、シーソー式レバーの先端側が持ち上がって刃折り本体部に取り付けられた揺動レバーを持ち上げ、刃折り本体部は揺動レバーにより上方側へ揺動旋回する。これにより刃先折り曲げブロックが持ち上がってカッターブレードの最先端刃体を押し上げる。カッターブレードの先端から２枚目の刃体は上側ブロックと下側ブロックの間の狭い隙間にあり、上側ブロックに邪魔されて上昇できない。このため、カッターブレードの最先端刃体と２枚目の刃体間の刃折り溝に大きな折り曲げ力が加わり、最先端刃体は折り曲げ切断される。このように本実施形態の刃先折り装置を使用すれば、カッターブレードの先端部を刃先折り装置内に挿入して操作押しボタンを押し下げるだけの簡単な操作で先端の刃体、１枚分だけを確実に折り曲げ切断して除去することができる。刃先折り装置内へのカッターブレードの挿入長さを調整する必要もない。押し込めない位置まで押し込むだけでよい。また、折り曲げ切断部は刃先折り装置１の内部にあるため破片が飛び散ることはなく安全に切断できる。刃折り本体部は、先端刃体の斜め先端部全体が刃先受けブロックに接触した状態になる位置まで水平旋回して停止するので、斜め先端部の角度に関係なく切断できる。
【０００９】
また、請求項２に記載の発明は、請求項１に記載のカッターナイフの刃先折り装置において、前記外箱体の内側高さを前記刃折り本体部の全体の厚み寸法にカッターブレードの出没を案内するカッターナイフの案内枠の厚み寸法を加えた寸法とし、刃折り本体部の底面が外箱体下面板に接触した状態では刃折り本体部の下側ブロックの上面は外箱体の開口部下面板に固定されたガイド板の上面より低く、上側ブロックの下面はガイド板の上面よりカッターブレードの厚みの１／２乃至２／３だけ高くなるように刃折り本体部の下面板厚みを調整し、刃折り本体部を水平旋回させるための旋回軸の突出長さを長くして旋回軸を外箱体の外表面から突出させ、外箱体の上面板外表面には該突出した旋回軸の先端を下方に向けて付勢する板バネが取り付けてあることを特徴とするカッターナイフの刃先折り装置である。
【００１０】
このような構成によれば、カッターブレードの先端をカッターナイフの案内枠から僅かだけ突出させた状態で先端刃体を切断、分離することができる。このため残りの刃体の数が少なくなった短いカッターブレードも切断、分離できる利点を有する。
【図面の簡単な説明】
【００１１】
【図１】第１の実施形態に係る刃先折り装置１の外観図である。
【図２】刃先折り装置１の分解斜視図である。
【図３】上面板２ａを取り外した刃先折り装置１の内部斜視図である。
【図４】刃先折り装置１の内部平面図である。
【図５】刃折り本体部４の分解斜視図である。
【図６】上面板４ａを取り外した刃折り本体部４の内部斜視図である。
【図７】上面板４ａを取り外した刃折り本体部４の平面図である。
【図８】図７のＡ−Ａ線に沿った断面図である。
【図９】カッターブレード５１の切断手順を説明する断面図である。
【図１０】カッターブレード５１の切断手順を説明する内部平面図である。
【図１１】第２の実施形態に係る刃先折り装置１ａによるカッターブレード５１の切断手順を説明する断面図である。
【図１２】板バネ３０を取り付けた刃先折り装置１ａの外観斜視図である。
【図１３】第２の実施形態に係る刃先折り装置１ａによるカッターブレード５１の切断手順を説明する平面図である。
【図１４】カッターナイフ５０の背面図である。
【図１５】カッターナイフ５０の正面図である。
【発明を実施するための形態】
【００１２】
以下、本発明に係るカッターナイフの刃先折り装置の構成例を実施形態に分けて図面を参照して説明する。
（第１の実施形態）
図１は第１の実施形態に係る刃先折り装置１の外観図、図２は分解斜視図である。刃先折り装置１は、外箱体２と、該外箱体２内に取り付けられるガイド板３、刃折り本体部４と、操作押しボタン５から構成される。外箱体２は、上面板２ａ、下面板２ｂ、両側面板２ｃでもって長手方向両側面が開口した偏平長方形に形成されている。図３は上面板２ａを取り外した状態の内部斜視図、図４は内部平面図である。外箱体２の一方の開口は、カッターナイフの折刃式カッターブレードを挿入する開口であり、他方の開口は折り曲げ切断された刃体を放出させる開口である。
【００１３】
ガイド板３は、外箱体２のカッターブレード挿入側開口部の下面板２ｂ内表面に図３、図４に示すように取り付けられる。ガイド板３は平面形状が略台形で、台形基辺を外箱体２の下面板２ｂの開口端部に沿わして取り付けてある。その高さは、外箱体２の内側高さの略１／２にしてある。ガイド板３はカッターブレードの挿入高さを規制、案内するもので、カッターブレードを挿入する際は、カッターブレードの片面をガイド板３の上面に接触させた状態で挿入する。
【００１４】
刃折り本体部４はガイド板３の後方位置に取り付けられている。刃折り本体部４は、短手方向両側面が開口した偏平な略長方形箱体に形成されている。図５はその分解斜視図、図６はその上面板４ａを取り外した状態の内部斜視図である。上面板４ａ、下面板４ｂの中央部には、外方に向け突出する旋回軸４ｃが設けられてあり、その旋回軸４ｃを外箱体２の上面板２ａ、下面板２ｂの各長辺間中央線上に設けた孔２ｄに挿通した状態で水平旋回可能にしてある。刃折り本体部４は、図４に示すように外箱体２の一方の側面板２ｃと刃折り本体部４との間に取り付けたバネ体４ｐにより一方方向（図４では右周り方向）に旋回するように付勢されており、常時は刃折り本体部４の一部がすることにより開口を外箱体２の開口に向けた状態で静止している。旋回軸４ｃと外箱体２の開口部内側面との間隔（図４、図１０の（２）中の幅寸法Ｄ）は、挿入するカッターブレード８１の幅（図１４中の幅寸法Ｈ）より狭くしてある。
【００１５】
刃折り本体部４のカッターブレード挿入側開口部の上面板４ａ、下面板４ｂの内表面には、上側ブロック４ｄと下側ブロック４ｅがそれぞれ取り付けてある。上面板４ａ、下面板４ｂは何れも直方体形状で、挿入側開口部の上面板４ａ、下面板４ｂの開口側端部に沿わせて取り付けてある。上側ブロック４ｄと下側ブロック４ｅの間の間隙は、カッターブレードの厚みより僅かに広い間隔で、且つ下側ブロック４ｅの上面高さがガイド板３の上面高さに一致するように調整してある。これはガイド板３の上面に片面を接触した状態で挿入されたカッターブレードを、その姿勢のまま通過させるためである。
【００１６】
図７は刃折り本体部４の上面板４ａを取り外した状態の外箱体２内の平面図、図８は図７のＡ−Ａ線に沿った断面図である。刃折り本体部４の上側ブロック４ｄ、上面板４ａ、外箱体２の上面板２ａ、操作押しボタン５を含めた断面が描いてある。下側ブロック４ｅの後方には、少し隙間をあけて直方体形状の刃先受けブロック４ｆが下面板４ｂに取り付けてある。刃先受けブロック４ｆの上面高さは下側ブロック４ｅより高く、下側ブロック４ｅに平行に取り付けてある。上側ブロック４ｄと下側ブロック４ｅの間隙を通って挿入されたカッターブレードの先端は、この刃先受けブロック４ｆに当接する。
【００１７】
下面板４ｂの長手方向両端には側面板４ｇが対向して取り付けてある。更に、下側ブロック４ｅと刃先受けブロック４ｆとの間には、直方体形状の刃先折り曲げブロック４ｈが下側ブロック４ｅに平行に配置されている。この刃先折り曲げブロック４ｈは、挿入されたカッターブレード先端の刃体を折り曲げ切断する機能を果たす。刃先折り曲げブロック４ｈには長手方向両側面に旋回軸４ｊが突出して設けてあり、該旋回軸４ｊを下側ブロック４ｅの両側方位置の側面板４ｇに挿入して該位置を中心に揺動旋回する。その旋回軸４ｊには図示しないバネ体が取り付けられおり、刃先折り曲げブロック４ｈの底面を下面板４ｂに接触させる方向に付勢している。刃先折り曲げブロック４ｈの底面が下面板４ｂに接触した状態では、その上面高さは下側ブロック４ｅの上面より僅かに低くなるように調整してある。更に、刃先折り曲げブロック４ｈの長手方向一端面には、刃先折り曲げブロック４ｈを揺動旋回させるための揺動レバー５ｋが、レバー先端を後方に向けて取り付けてある。
【００１８】
刃先受けブロック４ｆの後方には、両側面板４ｇ間に掛け渡した旋回軸４ｍ周りに揺動旋回するシーソー式レバー４ｎが取り付けてある。シーソー式レバー４ｎの後端側を押し下げると先端側が持ち上がって揺動レバー５ｋを下方から持ち上げる。それにより刃先折り曲げブロック４ｈは揺動旋回しながら持ち上がる。上面板４ａは両側面板４ｇの上面に固定されている。
【００１９】
操作押しボタン５はシーソー式レバー４ｎの後端側を押し下げるためのもので、軸を外箱体２の上面板２ａに貫通させた状態で取り付けてある。操作押しボタン５の下端には、シーソー式レバー４ｎの後端側を押し下げるためのブロックが取り付けてある。刃先折り曲げブロック４ｈの旋回軸４ｊに取り付けられたバネ体が刃先折り曲げブロック４ｈの底面を下面板４ｂに接触させる方向に付勢しているため、揺動レバー５ｋは先端側が下方に向けて付勢されている。シーソー式レバー４ｎの先端側は揺動レバー５ｋにより先端側が押し下げられるため後端側は持ち上げられている。その後端側は操作押しボタン５を押し上げる。このようにして操作押しボタン５は、常時は外箱体２の外側に向けて押し上げられている。
【００２０】
次に、このように構成された刃先折り装置１によりカッターナイフの折刃式カッターブレードの先端刃体を折り曲げて切断、回収する手順について図９、図１０を参照して説明する。カッターナイフのカッターブレードは、ガイド板３が取り付けられた側の開口から外箱体２に挿入する。図９は断面の状況、図１０は平面の状況である。
【００２１】
図１５は挿入するカッターナイフ５０の平面図、図１４は背面図である。カッターナイフ５０はカッターブレード５１を案内枠５４から突出させた状態にする。そして、カッターブレード５１の片面をガイド板３の表面に接触させた状態で図９の（１）に示すように刃先折り装置１に挿入する。この場合、図１０の（１）に示すように、カッターブレード５１の鋭利な刃５７を外箱体２の側面板２ｃ側にして挿入する。ガイド板３の上を通過した刃先は、刃折り本体部４の上側ブロック４ｄと下側ブロック４ｅの隙間に侵入する。上側ブロック４ｄと下側ブロック４ｅの隙間はカッターブレード５１の厚みより僅かに広くしてあり、且つ下側ブロック４ｅの上面高さはガイド板３の上面高さに一致させてあるのでカッターブレード５１はその隙間に侵入できる。
【００２２】
上側ブロック４ｄと下側ブロック４ｅの隙間を通過したカッターブレード５１の先端刃体５５は、下側ブロック４ｅの後方に位置する刃先折り曲げブロック４ｈの上を通過する。刃先折り曲げブロック４ｈの上面高さは下側ブロック４ｅの上面より僅かに低くしてある。刃先折り曲げブロック４ｈの上を通過した刃体５５は、図９の（２）、図１０の（１）に示すように、刃先折り曲げブロック４ｈの後方に位置する刃先受けブロック４ｆに先端が当接する。刃先受けブロック４ｆの上面高さは下側ブロック４ｅより高くしてある。
【００２３】
刃折り本体部４は図４に示したバネ体４ｐにより一方方向（図４では右周り方向）に旋回するよう付勢されており、常時は刃折り本体部４の一部がガイド板３の一部に当接して開口を外箱体２の開口に向けた状態で静止している。カッターブレード５１を図９の（２）、図１０の（１）の状態から更に押し込もうとすると、刃折り本体部４はバネ体４ｐによる付勢によりカッターブレード５１を押し戻そうとする。その押し戻す力に抗してカッターブレード５１を押し込むと、刃折り本体部４は反力により逆方向に旋回する。そして、遂には図１０の（２）に示すように、先端刃体５５の斜め先端部全体が刃先受けブロック４ｆに接触した状態になる。刃折り本体部４の旋回軸４ｃと外箱体２の開口部内側面との間隔（図４、図１０の（２）中の幅寸法Ｄ）は、カッターブレード５１の幅（図１４中の幅寸法Ｈ）より狭くしてあるので、この状態から更に押し込もうとしても押し込むことはできない。即ち、図１０の（２）に示す状態で停止する。この状態では、カッターブレード５１の最先端の先端刃体５５と次の刃体５５と間の刃折り溝５６は、刃先受けブロック４ｆと下側ブロック４ｅとの間にあって、下側ブロック４ｅに近い位置になるように下側ブロック４ｅと刃先受けブロック４ｆの間隔が調整してある。
【００２４】
この状態で操作押しボタン５を押し下げると、図９の（３）に示すように操作押しボタン５の下端ブロックがシーソー式レバー４ｎの後端側を押し下げる。すると、シーソー式レバー４ｎの先端側が上方に揺動旋回し、揺動レバー５ｋの先端を押し上げる。揺動レバー５ｋは図５に示したように刃先折り曲げブロック４ｈ、旋回軸４ｊと一体化されており旋回軸４ｊは下側ブロック４ｅの両側方位置を中心に揺動旋回するので、揺動レバー５ｋの先端が持ち上がると刃先折り曲げブロック４ｈは持ち上げられる。持ち上げられた刃先折り曲げブロック４ｈは、カッターブレード５１の最先端刃体５５を持ち上げる。カッターブレード５１の先端から２番目の刃体５５は上側ブロック４ｄと下側ブロック４ｅの間に挟まれているので、最先端の刃体５５と２番目の刃体５５の間にある刃折り溝５６に大きな折り曲げ力が働いて最先端の刃体５５は刃折り溝５６で切断、分離される。切断された刃体５５は、刃先折り装置１のカッターブレード５１の挿入側開口を上方に向けると落下して反対側開口から放出される。
【００２５】
本実施形態の刃先折り装置１を使用すれば、カッターブレード５１の先端部を刃先折り装置１内に挿入して操作押しボタン５を押し下げるだけの簡単な操作で先端の刃体５５、１枚分だけを確実に折り曲げ切断して除去することができる。刃先折り装置１内へのカッターブレード５１の挿入長さを調整する必要もない。押し込めない位置まで押し込むだけでよい。また、折り曲げ切断部は刃先折り装置１の内部にあるため破片が飛び散ることはなく、安全に切断できる。
【００２６】
（第２の実施形態）
本実施形態は、第１の実施形態で説明した外箱体２への刃折り本体部４の取り付け方に若干の変更を加えた実施形態であり、図１１の（１）はその断面図である。本実施形態では、外箱体２の内側高さを刃折り本体部４の厚みよりも図１５に示したカッターブレード５１の案内枠５４の厚み分だけ高く形成する。案内枠５４はカッターブレード５１の出没を案内する部分である。刃折り本体部２の下側ブロック４ｅの上面は、刃折り本体部４の底面が外箱体２の底面に接触した状態では外箱体２の開口底面に固定されたガイド板３の上面より低くなるようにする。同じ状態で上側ブロック４ｄの下面は、ガイド板３の上面よりカッターブレード５１の厚みの１／２乃至２／３だけ高くなるようにする。その高さ調整は、刃折り本体部２の下面板４ｂの厚みを変えて行なう。
【００２７】
また、刃折り本体部２を水平旋回させるための上下の旋回軸４ｃの突出長さを長くし、上板側の旋回軸４ｃの先端を外箱体２の上面板２ａから外に僅かに突出した状態とする。そして、外箱体２の上面板２ａの外表面には、図１２に示すように該突出した旋回軸４ｃの先端を下方に向けて付勢する板バネ３０を取り付ける。
【００２８】
このように構成された刃先折り装置１ａを用いてカッターブレード５１の最先端刃体５５を折り曲げて切断、回収する手順を図１１、図１３を参照して説明する。カッターブレード５１を案内枠５４から僅かに突出させ、カッターブレード５１の先端刃体５５をガイド板３の表面に接触させた状態で図１１の（１）に示すように刃先折り装置１ａに挿入する。カッターブレード５１の先端は案内枠５４から僅かしか出ていないため、挿入するにつれてカッターナイフ５０の案内枠５４がガイド板３に乗り上げる。カッターブレード５１は僅かに傾いた状態になるが、そのままカッターブレード５１の先端をガイド板３の表面に接触させた状態で前進させる。
【００２９】
刃折り本体部４は外箱体２の上面板２ａの外表面に取り付けた板バネ３０により下方に付勢されているため、その底面は箱体２の下面板２ｂに接触した状態になっている。この状態では、刃折り本体部２の下側ブロック４ｅの上面は外箱体２のガイド板３の上面より低く、上側ブロック４ｄの下面はガイド板３の上面よりカッターブレード５１の厚みの１／２乃至２／３だけ高くなっている。カッターブレード５１の最先端は研磨されてカッターブレード５１の厚みより更に薄くなっているので、その最先端刃先は上側ブロック４ｄとガイド板３との間の僅かな隙間に入り込む。
【００３０】
最先端刃先を上側ブロック４ｄとガイド板３との間の僅かな隙間に入り込ませた状態でカッターブレード５１を更に前進させながらその姿勢を水平にする。カッターブレード５１を水平にすると、その最先端の刃体５５が板バネ３０による付勢力に抗して刃折り本体部２を僅かに持ち上げる。その状態のままカッターブレード５１を更に前進させ、刃先先端を刃先受けブロック４ｆに当接させる。当接させた状態を図１１の（２）、図１３の（１）に示す。
【００３１】
当接させた状態で更にカッターブレード５１を押し込むと、刃先先端が刃折り本体部２を押して旋回させる。旋回すると図１３の（２）に示すように最先端刃体５５の斜め先端部全体が刃先受けブロック４ｆに接触した状態になり、それ以上には押し込めなくなる。この状態で操作押しボタン５を押し下げる。第１の実施形態の場合と同様に刃先折り曲げブロック４ｈが図１１の（３）に示すように持ち上げられ、最先端刃体５５が刃折り溝５６で切断、分離される。切断された刃体５５は、刃先折り装置１のカッターブレード５１の挿入側開口を上方に向けると落下して反対側開口から放出される。
【００３２】
本実施形態の刃先折り装置１ａの場合は、カッターブレード５１の先端をカッターナイフ５０の案内枠５４から僅かだけ突出させた状態で先端刃体５５を切断、分離することができる。このため残りの刃体５５の数が少なくなった短いカッターブレード５１も切断、分離できる利点を有する。
【符号の説明】
【００３３】
図面中、１、１ａは刃先折り装置、２は外箱体、３はガイド板、４は刃折り本体部、４ａは上面板、４ｂは下面板、４ｃは旋回軸、４ｄは上側ブロック、４ｅは下側ブロック、４ｆは刃先受けブロック、４ｈは刃先折り曲げブロック、４ｋは揺動レバー、４ｍは旋回軸、４ｎはシーソー式レバー、５は操作押しボタン、３０は板バネ、５０はカッターナイフ、５１は折刃式カッターブレード、５３は把持部５３、５４は案内枠、５６は刃折り溝を示す。
【図１】
0006514560.tif 000002
【図２】
0006514560.tif 000003
【図３】
0006514560.tif 000004
【図４】
0006514560.tif 000005
【図５】
0006514560.tif 000006
【図６】
0006514560.tif 000007
【図７】
0006514560.tif 000008
【図８】
0006514560.tif 000009
【図９】
0006514560.tif 000010
【図１０】
0006514560.tif 000011
【図１１】
0006514560.tif 000012
【図１２】
0006514560.tif 000013
【図１３】
0006514560.tif 000014
【図１４】
0006514560.tif 000015
【図１５】
0006514560.tif 000016